(57)【特許請求の範囲】
【請求項１】
ＢＰＬ（広帯域電力線）信号のサブキャリアの利用可能性を評価する方法において、特にＢＰＬ信号と他の信号との相互影響を回避するための方法であって、ＢＰＬ信号は複数のサブキャリアを含み、各サブキャリアで１つのシンボルを送信可能であり、
受信されたＢＰＬ信号のサブキャリアから受信値ｙ［ｋ］を抽出するステップと、
伝送チャネルの推定伝達関数Ｈ＾を用いて受信値ｙ［ｋ］を等化するステップと、
受信値ｙ［ｋ］に符号化されたシンボルｄ＾［ｋ］を判定するステップと、
伝送チャネルの推定伝達関数Ｈ＾でシンボルｄ＾［ｋ］を歪ませるステップと、
受信値ｙ［ｋ］と処理済信号ｄ＾［ｋ］・Ｈ＾との差を求めるステップと、
差ｙ［ｋ］−ｄ＾［ｋ］・Ｈ＾に基づいてサブキャリアの利用可能性を判定するステップと
を備えたことを特徴とする、電力線信号のサブキャリアの利用可能性を評価する方法。
【請求項２】
サブキャリアの利用可能性が差ｙ［ｋ］−ｄ＾［ｋ］・Ｈ＾の２乗の期待値に基づいて判定され、期待値は複数の差、好ましくは少なくとも１００個、特に好ましくは少なくとも１０００個の差から求められることを特徴とする請求項１に記載の方法。
【請求項３】
サブキャリアの利用可能性がしきい値判定器を用いて判定され、所定のしきい値以下である場合にはサブキャリアが使用され、しきい値を超過する場合にはサブキャリアが除外されることを特徴とする請求項１または２に記載の方法。
【請求項４】
サブキャリアの評価が周期的に、好ましくは１５ｓ未満の周期で実行されることを特徴とする請求項１ないし３のいずれか１項に記載の方法。
【請求項５】
シンボルについて肯定的に判定するステップで、等化された受信シンボルが信号復号器により復号され、復号されたシンボルがシンボルマッパによって、送信された可能性が最も高いシンボルｄ＾［ｋ］に割り当てられることを特徴とする請求項１ないし４のいずれか１項に記載の方法。
【請求項６】
信号復号器とシンボルマッパとの間で誤り訂正、好ましくは前方誤り訂正が実行されることを特徴とする請求項５に記載の方法。
【請求項７】
ブロック誤り検出が実行され、正しく受信されたＢＰＬ信号のフレームのみが評価に使用されることを特徴とする請求項１ないし６のいずれか１項に記載の方法。
【請求項８】
前記他の信号が送信信号、特に無線信号またはアマチュア無線信号を含むことを特徴とする請求項１ないし７のいずれか１項に記載の方法。
【請求項９】
保護対象となる可能性のある周波数の所定のリストに基づいて、評価対象のサブキャリアが事前に選択されることを特徴とする請求項８に記載の方法。
【請求項１０】
評価の結果が、ＢＰＬ信号に対するノッチングパラメータを決定するために使用され、ノッチングパラメータによりＢＰＬ信号の周波数が除外され、サブキャリアの評価が実行され、サブキャリアの評価に基づいてサブキャリアを除去すべきか否かが決定されることを特徴とする請求項１ないし９のいずれか１項に記載の方法。
【請求項１１】
サブキャリアを除去するためにノッチフィルタが使用され、ノッチフィルタの平均周波数はサブキャリアの平均周波数と等しく、ノッチフィルタは、好ましくは、５ｋＨｚの整数倍の帯域幅、特に好ましくは、１０ｋＨｚの帯域幅を示すことを特徴とする請求項１０に記載の方法。
【発明の詳細な説明】
【技術分野】
【０００１】
本発明は、ＢＰＬ（Broadband Power Line, 広帯域電力線）信号のサブキャリアの利用可能性を評価する方法に関し、特にＢＰＬ信号と他の信号との相互影響を回避するためのそのような方法に関する。ＢＰＬ信号は複数のサブキャリアを含み、各サブキャリアで１つのシンボルを送信可能である。
【背景技術】
【０００２】
ＢＰＬ（広帯域電力線）通信において、データは電力供給ネットワークを通じて送信される。ＢＰＬは特に建物内で使用されるが、「ラストマイル」、すなわち建物から通信ネットワークへの接続を提供するためにも利用されることがある。データは、複数（例えば１５３６個）のサブキャリアに変調される。変調の種類は、一般的に、各サブキャリアごとに、当該サブキャリアの品質に応じて個別に選択される。例えば、ＱＰＳＫ（Quadrature Phase Shift Keying, 直角位相シフトキーイング）や１６ＱＡＭ（Quadrature Amplitude Modulation, 直交振幅変調）が使用される。送信は通常、ＯＦＤＭ（Orthogonal Frequency Division Multiplexing, 直交周波数分割多重）に基づいて行われる。ＢＰＬ周波数スペクトルは一般的に、２ＭＨｚから３０ＭＨｚまでに渡るため、さまざまな無線（ラジオ）サービスによって使用される周波数と重畳する。電力供給ネットワークは一般的にその放射挙動に関して最適化されていないことから、それらのサービスとＢＰＬアプリケーションが衝突することを排除できない。
【０００３】
したがって、実際には、衝突を回避し、ＢＰＬと無線サービスとの共存を保証するために、いくつかの「保護する価値のある」周波数範囲がＢＰＬ信号から除外（ノッチング）される。周波数範囲のノッチングとは、実際には、ＢＰＬ信号の一部のサブキャリアがデータ送信に利用されないことを意味する。
【０００４】
一般的に、静的ノッチングと動的ノッチングとを区別することができる。静的ノッチングでは、特に影響を受けやすいサービスや安全性関連サービスを保護するために、ある周波数範囲が永続的に除外される。静的ノッチングは、例えば、ＢＰＬ信号からアマチュア無線周波数を除外することができる。動的ノッチングでは、周波数範囲は、無線サービスの使用信号が実際に存在するときにのみ除外される。動的ノッチングは、現在は、短波無線の周波数についてのみ議論されている。というのは、この場合、サービスの拡大は、予測しがたいさまざまな物理現象を受けるからである。無線送信機の静的ノッチングに対して、この環境では、動的ノッチングは、利用可能なＢＰＬ周波数スペクトルを約２０％増大させることができる。
【０００５】
「保護する価値のある」短波信号の検出には技術的課題がある。これを検出することで、一般的な受信機に対して必要な送信機電界強度がわかる。このような信号を検出するための１つの可能な考え方が特許文献１に記載されている。ＰＬＣ（Power Line Communication, 電力線通信）アクティビティを開始する前に、ＰＬＣシステムによって使用される可能性のある周波数スペクトル全体がスキャンされ、既存の電波源が検出される。別法として、またはこれに加えて、無線送信機を検出するために、時間フレームまたは周波数帯域におけるギャップが使用される。時間フレームにおけるギャップは、ＰＬＣアクティビティのない時間とみなされる。周波数帯域におけるギャップは、ＰＬＣ通信に使用されていない周波数範囲である。さらに、検出メカニズムのさらなる改善のための相関方法が記載されている。
【０００６】
特許文献１に記載された方法において、この方法を適用する際にＰＬＣアクティビティが存在してはならないのは不利である。このため、ＰＬＣシステム全体、またはせいぜいＰＬＣシステムの一部のサブキャリアは、検出のためにオフに切り替えられるか、または無効化されなければならないことになる。必要な信号がシステムの動作中に変化すると、この変化に適時に対応することができない。というのは、まず後続の非アクティブ期間を待機するか、または非アクティブ期間を意図的に開始しなければならないからである。これは、例えば、大気擾乱により最近の検出中に短波無線送信機からの受信状態が悪かった場合に必要となる可能性がある。標準ＥＴＳＩ  ＴＳ  １０２５７８の仕様によれば、ＢＰＬ信号中のノッチは、衝突する無線システムがアクティブになってから１５秒以内に有効にされなければならない。すなわち、ＢＰＬ信号は、最大１５秒間、無線システムと干渉する可能性がある。大気干渉が停止した後、１５秒以内に明瞭な受信が再び可能とならなければならない。
【先行技術文献】
【特許文献】
【０００７】
【特許文献１】独国特許出願公開第ＤＥ６０３１２８３９Ｔ２号明細書
【発明の概要】
【発明が解決しようとする課題】
【０００８】
したがって、本発明の目的は、頭書のような方法において、ＢＰＬ信号のサブキャリアの利用可能性の評価がＢＰＬシステムの動作進行中に可能であると同時に、衝突する信号源の変化に適時かつ有効に対応できるような改良およびさらなる展開を行うことである。
【課題を解決するための手段】
【０００９】
本発明によれば、上記の目的は、請求項１の構成において達成される。これによれば、本方法は、受信されたＢＰＬ信号のサブキャリアから受信値ｙ［ｋ］を抽出するステップと、伝送チャネルの推定伝達関数Ｈ＾を用いて受信値ｙ［ｋ］を等化するステップと、受信値ｙ［ｋ］に符号化されたシンボルｄ＾［ｋ］を判定するステップと、伝送チャネルの推定伝達関数Ｈ＾でシンボルｄ＾［ｋ］を歪ませるステップと、受信値ｙ［ｋ］と処理済信号ｄ＾［ｋ］・Ｈ＾との差を求めるステップと、差ｙ［ｋ］−ｄ＾［ｋ］・Ｈ＾に基づいてサブキャリアの利用可能性を判定するステップとを備えたことを特徴とする。
【００１０】
本発明によって初めて認識されたこととして、ＢＰＬ信号中のサブキャリアの利用可能性を確実に評価するためには、非アクティブ期間を待機することは必須でなく、また、非アクティブ期間を意図的に開始することも不要である。むしろ、ＢＰＬシステムの動作進行中に適当な信号処理を用いて、サブキャリア中の他の信号の存在について結論を引き出すことができる。この目的のため、本発明によれば、まず、評価対象のＢＰＬ信号のサブキャリアから受信値ｙ［ｋ］が抽出される。抽出は、通常、ＢＰＬ信号の復調によって行われる。例えば、ＢＰＬ信号がＯＦＤＭにより変調されている場合、受信値ｙ［ｋ］はＯＦＤＭ復調によって求められ、ＢＰＬ信号のサブキャリアのスキャンされた値を表す。受信値ｙ［ｋ］にはシンボルが符号化されており、シンボルは後続のステップで抽出される。この目的のため、まず、受信値ｙ［ｋ］は等化される。
【００１１】
伝送チャネルを通じてサブキャリアで送信されたシンボルは、送信中に伝送チャネルによって歪みを受ける。歪みは、位相シフトや振幅歪みなどを含む可能性がある。数学的には、伝送チャネルの挙動はその伝達関数Ｈによって記述される。通常、ｚ変換による表示が選択される。というのは、この場合、システムをかなり容易に記述することができるからである。ほとんどの一般的な伝送チャネルにおいては、伝達関数Ｈは、直接に測定することができないため、チャネル推定によって推定される。すなわち、実際の伝達関数Ｈを最も良く近似する伝達関数Ｈ＾が求められる。チャネル推定の方法は当技術分野で既知である。したがって、チャネル推定により、推定伝達関数Ｈ＾が得られる。推定伝達関数Ｈ＾は、受信値ｙ［ｋ］を等化するために用いられる。これは通常、受信値ｙ［ｋ］を推定伝達関数Ｈ＾で除算することによって行われる。
【００１２】
受信値を等化した後、シンボルｄ＾［ｋ］が選択される。このシンボルｄ＾［ｋ］は、送信機によって送信された可能性が最も高いシンボルを表す。シンボルｄ＾［ｋ］の判定をした後、推定シンボルｄ＾［ｋ］を推定伝達関数Ｈ＾で歪ませる。これは通常、シンボルｄ＾［ｋ］に伝達関数Ｈ＾を乗算することによって行われる。次に、処理済信号ｄ＾［ｋ］・Ｈ＾と受信値ｙ［ｋ］との差を求める。このようにして得られる信号は、伝送路上のクロストークによってほとんど定まり、送信されるシンボルとはほとんど独立である。このようなクロストークには、干渉に加えて、他のサービスに必要な信号として使用されることが意図された他の信号も含まれる。この差に基づいて、評価対象のサブキャリアがＢＰＬ信号として利用可能か否か、すなわち、必要な信号によってどの程度のクロストークがサブキャリア中に存在するか、を判定することができる。このようにして、本発明によれば、ＢＰＬシステムの動作中に使用可能な方法が得られる。本発明による方法は、ＢＰＬアクティビティにほとんど基づいており、ＢＰＬアクティビティは、実際には、非アクティブ期間よりも頻繁に起こる。他のＢＰＬモデムによって受信されるＢＰＬ信号は「登録」され、一部あるいは全部のサブキャリアが、サブキャリアの利用可能性に関して評価される。そして、評価の結果は、ＢＰＬシステムを通じてデータを送信する際に考慮することができる。
【００１３】
好ましくは、サブキャリアの利用可能性の判定は、確率解析に基づく。好ましくは、この場合、差ｙ［ｋ］−ｄ＾［ｋ］・Ｈ＾（および／またはｄ＾［ｋ］・Ｈ＾−ｙ［ｋ］）の期待値が使用される。このようにして、任意の干渉の影響を除去することができる。差ｙ［ｋ］−ｄ＾［ｋ］・Ｈ＾の代数的符号の影響を回避するため、好ましくは、期待値を求めるために、差の２乗が使用される。
Ｉ＾＝Ｅ｛ｙ［ｋ］−ｄ＾［ｋ］・Ｈ＾｝
【００１４】
期待値の信頼性を高めるため、好ましくは、複数の測定値で、より多くの差の２乗を求め、期待値を求めるために使用する。好ましくは、少なくとも１００個の測定値が使用され、特に好ましい方法では、少なくとも１０００個の測定値が使用される。このようにして、期待値の高い品質および非常に高い信頼性を保証することができる。受信値はモデムで比較的高い周波数で受信されることから、非常に信頼性の高い受信値を短期間で求めることができる。なお、すべての受信値を考慮する必要はない。むしろ、ある受信値に対する計算の処理後には、次に検出された受信値を他の計算に使用することができる。すべての受信値に対するサブキャリアの連続的な評価が原理的には可能であるが、これは必要ではない。
【００１５】
特に簡単な評価に関して、サブキャリアの利用可能性は、しきい値判定器を用いて判定される。この目的のため、求められた期待値は、所定のしきい値と比較される。しきい値は、経験的に決定されてもよい。期待値は他の信号の信号パワーの尺度を表し、あるいは一般的には干渉源を表していることから、しきい値は、他の信号の利用可能性が、商用受信機により当該他の信号に対して保証されるように選択することができる。すなわち、例えば、他の信号が短波無線信号からなり、商用受信機が短波無線受信機からなる場合、しきい値は、十分な強度で受信可能な無線信号が無線装置によって処理可能であるように選択すべきである。しきい値を超過した場合、サブキャリアはＢＰＬ信号から除外される。しきい値以下の場合、サブキャリアの使用は継続する。このようにして、非常に簡単な方法で、高価な計算コストなしに、評価値を求めることができる。
【００１６】
他の信号源がアクティブになることによる干渉ができるだけ低くなるように保証するため、サブキャリアの評価は、好ましくは、周期的に実行される。この場合、周期の長さは、好ましくは、１５秒未満である。他の信号源の干渉ができるだけ短くなることを保証するため、特に好ましくは、周期長は、数秒である。結果として、この場合には、周期長の満了後、新たな評価が実行される。
【００１７】
サブキャリアの利用可能性が肯定的に判定される場合、当該サブキャリアは使用を継続することができる。サブキャリアが過去に利用不能と評価され、今回の評価ではそのサブキャリアが利用可能となった場合、サブキャリアの解放は最初は延期される。ある一定の期間、そのサブキャリアが適当と評価された場合に限り、このサブキャリア上でのアクティビティが回復される。ＥＴＳＩ  ＴＳ  １０２５７８によれば、この期間は１８０秒でなければならない。
【００１８】
好ましくは、シンボルについて肯定的に判定するステップは、信号復号器およびシンボルマッパによって行われる。この場合、まず、等化された受信信号が信号復号器によって復号される。等化された受信値を復号した後、復号されたシンボルがシンボルマッパによって、送信された可能性が最も高いシンボルｄ＾［ｋ］に割り当てられる。このようにして、例えばＱＰＳＫ（直角位相シフトキーイング）を用いて変調する場合には、まず、受信シンボル値が復号された後、４つの象限のうちの１つへの割当て、すなわち、シンボルへの割当てが判定される。そして、このシンボルの値がｄ＾［ｋ］に与えられる。
【００１９】
別の改良された実施形態では、信号復号器とシンボルマッパとの間で誤り訂正が実行される。このようにして、伝送路上の任意の干渉の影響を低減することができる。好ましくは、前方誤り訂正（ＦＥＣ）が行われる。ＦＥＣの適当な方法は当技術分野で既知である。
【００２０】
別のさらに改良された実施形態では、ブロック誤り検出が実行される。この場合、ＢＰＬ信号のフレーム全体が、使用されるすべてのサブキャリアにわたって検査され、フレーム全体が正しく受信されたかどうかが分析される。本発明による方法をさらに改良するためには、正しく受信されたフレームのみが評価のために使用される。このようにして、広帯域パルス干渉の影響を大幅に低減し、または完全に除去することができる。
【００２１】
なお、誤り検出方法および誤り訂正方法の使用はさらなる改良に寄与する可能性があるが、計算コストを低減するためには、これらの手段を使用しなくてもよい。
【００２２】
好ましい実施形態において、他の信号は無線信号を表し、ＢＰＬ信号との相互干渉が検査される。この場合の例として、特に無線信号、特に短波無線信号が挙げられる。他の信号は、アマチュア無線信号を含んでもよい。なお、この場合、原理的には、ＢＰＬ周波数スペクトルに含まれるすべての信号源を検査することが可能である。
【００２３】
計算コストを低減するため、評価対象のサブキャリアは事前に選択されてもよい。この場合、保護対象となる可能性のある周波数のリストを準備し、サブキャリアの利用可能性の評価のために考慮されてもよい。例えば、原理的に受信可能なすべての短波無線送信機がリストに含められてもよい。他の信号がサブキャリアやサブキャリア近傍のある範囲に含まれる可能性がある場合にのみ、サブキャリアの評価が実行される。世界のほとんどあらゆる国では、関連する無線周波数が規制されており、保護対象となる可能性のある周波数のリストが容易に入手可能であるか、または容易に準備することができることから、簡単な方法でコストを大幅に低減することができる。この場合、通常、利用されるサブキャリアの一部のみについて、その利用可能性を検査すればよい。
【００２４】
本発明による方法の特に好ましい利用形態において、評価の結果は、ＢＰＬ信号に対するノッチングパラメータを決定するために使用される。このノッチングにより、周波数は、目的に合わせてＢＰＬ信号において除外される。この除外は、一般的に、ノッチフィルタを用いることにより行われる。これは、デジタル的に行われても、アナログ的に行われてもよい。ノッチフィルタの実施形態は、ＢＰＬ信号に関する当業者には既知である。本発明による方法を用いて実行されるサブキャリアの評価に基づいて、サブキャリアを除去すべきか否かを決定することができる。サブキャリアを除去すると決定された場合、ノッチフィルタの平均周波数とその帯域幅をノッチングパラメータとして決定することができる。好ましくは、ノッチフィルタの平均周波数は、サブキャリアの平均周波数と等しく選択される。ノッチフィルタの帯域幅は、好ましくは、５ｋＨｚの整数倍である。特に好ましくは、１０ｋＨｚの帯域幅が選択される。
【００２５】
本発明による方法の実施態様において、計算の指令はハードウェアで、例えばＦＰＧＡ（Field Programmable Gate Array）やＡＳＩＣ（Application Specific Integrated Circuit）で実装することが可能である。このようにして、計算は、非常に効率的に実行可能である。同時に複数の計算プロセスを並列に実施することにより、複数のサブキャリアを同時に検査することができる。原理的には、すべてのサブキャリアを同時に評価することも可能である。
【００２６】
本発明を好ましい態様で実施するにはいくつもの可能性がある。このためには、一方で請求項１に従属する諸請求項を参照しつつ、他方で図面により例示された本発明の２つの好ましい実施形態についての以下の説明を参照されたい。図面を用いて本発明の好ましい実施形態を説明する際には、本発明の教示による好ましい実施形態一般およびその変形例についても説明する。
【図面の簡単な説明】
【００２７】
【図１】前方誤り訂正を備えた本発明による方法の第１の例示的実施形態のブロック図である。
【図２】本発明による方法の第２の簡略化された例示的実施形態のブロック図である。
【発明を実施するための形態】
【００２８】
図１は、本発明による方法の第１の例示的実施形態のブロック図を示している。第１のブロックにおいて、ＯＦＤＭ復調が実行される。この場合、ＯＦＤＭで変調され伝送チャネルを通じて受信機へ送信されたＢＰＬ信号が適切に復調される。ＯＦＤＭ復調により、一連の受信値ｙ［ｋ］が得られる。各受信値は、ＢＰＬ信号の１つのサブキャリアを表す。図１は、１つのサブキャリアにおける単一の受信値ｙ［ｋ］の処理を例示している。ブロック図の第１の経路で、受信値ｙ［ｋ］はチャネル推定に供給される。チャネル推定により、伝送チャネルの推定伝達関数Ｈ＾が得られる。第２の経路では、ｙ［ｋ］に推定伝達関数Ｈ＾の逆数が乗算される。その結果ｙ［ｋ］／Ｈ＾は、等化された受信信号ｙ［ｋ］を表す。推定伝達関数との乗算により、伝送チャネルの歪みの影響がほとんど除去される。これは伝達関数の推定のみを表していることから、等化は誤りを含んでいる可能性があるが、推定されるチャネルモデルの品質に応じて、実際の伝達関数の良好な近似を表している。チャネル推定を実行するための適切な推定モデルは当業者には既知である。
【００２９】
このようにして等化された受信値はシンボル復号器に供給される。シンボル復号器は、送信される可能性のあるシンボルによって張られるシンボル空間内の１点を提供する。ＱＰＳＫを使用する場合、シンボル空間は２次元平面を表し、シンボル復号器の結果はシンボル空間の１象限内の１点を表す。シンボル復号器によって出力される値は、前方誤り訂正ＦＥＣに供給される。なお、さまざまな前方誤り訂正が実行可能であり、それらは当技術分野で既知である。シンボル復号器は「軟判定」を出力するが、前方誤り訂正は「硬判定」を実行する。このようにして得られる硬判定値は、チャネル復号器により符号ビットに変換され、後続のシンボルマッパによりそれぞれのシンボル値に変換される。このようにして、「干渉除去」されたシンボル値ｄ＾［ｋ］が得られる。これは、送信されたシンボル系列ｄ＾［ｋ］に一致する可能性が最も高い。
【００３０】
続いて、伝送チャネルの推定伝達関数Ｈ＾を用いて、推定された送信シンボルｄ＾［ｋ］を歪ませる。歪みは、推定シンボルに伝達関数Ｈ＾を乗算することによってかけられる。乗算の結果は、負の代数符号付きで加算器に供給される。加算器の第２の入力は、ブロック図の第３の経路に接続され、受信値ｙ［ｋ］が直接に供給されている。このようにして、実際の受信値と「修正」された受信値ｄ＾［ｋ］・ｙ［ｋ］との差が得られる。差ｙ［ｋ］−ｄ＾［ｋ］・Ｈ＾を２乗した後、複数のシンボル、すなわち、複数の測定値および差にわたって、次式により期待値Ｉ＾を求める。
Ｉ＾＝Ｅ｛ｙ［ｋ］−ｄ＾［ｋ］・Ｈ＾｝
【００３１】
このようにして求めた期待値は、サブキャリアに対する他の信号源のクロストークの尺度を表す。図１では、このステップは、「干渉測定」と表示した最後のブロックで特徴づけられる。
【００３２】
干渉測定のため、オプションとして、結果をブロック誤り検出のために使用してもよい。この目的のため、前方誤り訂正ＦＥＣの後に信号が分岐され、ブロック検出に供給される。ブロック検出は、ＢＰＬフレーム全体にわたって誤り検出を行う。この場合、すべての同時に受信されるシンボルが干渉なしで送信されたかどうか、または少なくとも訂正可能かどうかを判定することができる。干渉測定を改善するために、誤りなしで受信されたフレームのみを評価のために考慮してもよい。
【００３３】
図１に示したブロック図は、サブキャリアに対する干渉測定を表している。このようにして得られた差の値は、しきい値判定器に供給することができる。しきい値判定器により、しきい値を超過するかどうかを評価することができる。所定のしきい値を超過した場合、干渉信号のパワーは「過大」であり、信号がそのサブキャリアによってさらに擾乱されることを防ぐために、当該サブキャリアに対してノッチを使用しなければならない。
【００３４】
図２は、干渉測定のための簡略化されたブロック図を示している。図２のブロック図には、誤り訂正ブロックが含まれていない。このようにして、実施のコストが大幅に低減される一方、依然として比較的良好な干渉測定を実行することができる。まずＯＦＤＭ復調を実行した後、受信値ｙ［ｋ］は第１の経路でチャネル推定に供給される。チャネル推定により、推定伝達関数Ｈ＾が得られる。第２の経路で、受信値ｙ［ｋ］に推定伝達関数Ｈ＾の逆数が乗算され、その結果ｙ［ｋ］／Ｈ＾はシンボル復号器に供給される。そして、シンボル復号器は、硬判定出力を生成する。シンボル復号器の出力は、シンボルマッパに供給される。シンボルマッパは、推定シンボルｄ＾［ｋ］を生成する。推定シンボルｄ＾［ｋ］には、乗算器により推定伝達関数Ｈ＾が乗算される。このようにして歪ませたシンボルは、符号反転して加算器に供給される。この加算器の第２端には、ブロック図の第３の経路が入力され、歪ませたシンボルｄ＾［ｋ］・Ｈ＾と受信値ｙ［ｋ］との差が求められる。差は、干渉測定に供給され、そこで、差ｙ［ｋ］−ｄ＾［ｋ］・Ｈ＾を２乗することにより期待値が求められる。その結果は図１と同様に使用される。
【００３５】
結果として、干渉パワーの測定は再変調により実行され、それぞれのサブキャリアの利用可能性に対する評価値を決定することができる。
【００３６】
本発明による装置のさらに有効な実施形態に関しては、反復を避けるため、明細書の一般的部分および添付の特許請求の範囲を参照されたい。
【００３７】
最後に、明確に指摘しておかなければならないが、本発明による方法の上記の例示的実施形態は、本発明による教示を説明するためのものに過ぎず、例示的実施形態を限定するものではない。
【図１】
0005405692.tif 000002
【図２】
0005405692.tif 000003